(57)【要約】【課題】本発明は、ソートモードでの読み取りが終了する前に、正常に読み取られた画像に対して原稿の再読み取りを行なうのを不要にして、読み取り作業の作業性を向上させることができる画像形成装置を提供する。【解決手段】ソートモードが設定されたときに、原稿を１枚ずつ読み取って１枚の記録紙に印刷し、印刷画像（すなわち、読み取り画像）に不備（オペレータが設定した画像濃度、倍率等の印刷条件が間違っていたり、ページ順、画像の方向や裏表等の原稿セットミス等）があれば、読み直しキー３１６を押下して原稿の読み直しを行ない、画像メモリ６６に最後に蓄積された画像データをページ単位で消去する。【選択図】　　　図１
2004101817.tif 000002
【特許請求の範囲】
【請求項１】
原稿をページ単位に読み取る読み取り手段と、
前記原稿を前記読み取り手段によって読み取るように読み取り開始を指示する読み取り開始指示手段と、
前記読み取り手段によって読み取られた原稿の画像データをページ単位で蓄積する蓄積手段と、
前記読み取り手段によって読み取られた画像または蓄積手段に蓄積された画像をページ単位で記録紙に印刷する印刷手段と、
前記蓄積手段に蓄積された画像データに対して一部ずつページ順に揃える印刷処理をするように前記印刷手段を制御するソート手段と、
前記ソート手段を動作させるソートモードを設定するソートモード設定手段とを備えた画像形成装置において、
前記ソートモードが設定されたときに、前記読み取り開始手段が操作される度に１枚の原稿の読み取りを行なって前記蓄積手段に画像データを蓄積し、前記蓄積手段に蓄積された１ページの画像データを前記印刷手段によって１枚の記録紙に印刷する試し印刷手段と、
前記ソートモードが設定されたときに、原稿の読み直しを指示する読み直し指示手段と、
前記読み直し指示手段が操作されたときに、前記蓄積手段に最後に蓄積された画像データから遡って画像データをページ単位で消去する消去手段とを備えることを特徴とする画像形成装置。
【請求項２】
前記消去手段は、前記読み直し指示手段が操作されたとき、前記読み取り開始指示手段が最後に操作されたときに前記蓄積手段に蓄積された画像データを消去することを特徴とする請求項１記載の画像形成装置。
【請求項３】
前記蓄積手段に蓄積された画像データの消去ページ数を指示する消去数入力手段を有し、
前記消去手段は、前記消去数入力手段によって入力されたページ数の画像データを前記蓄積手段から消去することを特徴とする請求項１記載の画像形成装置。
【請求項４】
前記読み取り手段によって読み取られた原稿の枚数を表示する原稿枚数表示手段を有し、
前記消去手段は、前記読み直し指示手段によって原稿の読み直しが指示されたときに、前記原稿枚数表示手段に表示される原稿枚数を前記読み直しが指示された時点の原稿枚数に補正することを特徴とする請求項１〜３何れかに記載の画像形成装置。
【請求項５】
前記読み取り手段によって原稿が読み込まれないときには、前記読み直し指示手段の操作を無効にする無効手段を有することを特徴とする請求項１〜４何れかに記載の画像形成装置。
【請求項６】
原稿をページ単位に読み取る読み取り手段と、
前記原稿を前記読み取り手段によって読み取るように読み取り開始を指示する読み取り開始指示手段と、
前記読み取り手段によって読み取られた原稿の画像データをページ単位で蓄積する蓄積手段と、
前記読み取り手段によって読み取られた画像または蓄積手段に蓄積された画像をページ単位で記録紙に印刷する印刷手段と、
前記印刷手段の印刷モードを設定する印刷モード設定手段と、
前記蓄積手段に蓄積された画像データに対して一部ずつページ順に揃える印刷処理をするように前記印刷手段を制御するソート手段と、
前記ソート手段を動作させるソートモードを設定するソートモード設定手段とを備えた画像形成装置において、
前記ソートモードが設定されたときに、前記読み取り開始手段が操作される度に１枚の原稿の読み取りを行なって前記蓄積手段に画像データを蓄積し、前記蓄積手段に蓄積された１ページの画像データを前記印刷手段によって１枚の記録紙に印刷する試し印刷手段と、
前記ソートモードが設定されたときに、原稿の読み直しを指示する読み直し指示手段と、
前記読み直し指示手段が操作されたときに、前記印刷モード設定手段により設定された印刷モードで印刷された記録紙を単位として消去画像数を算出し、前記蓄積手段に最後に蓄積された画像データから遡って画像データをページ単位で消去する消去手段とを備えることを特徴とする画像形成装置。
【請求項７】
前記消去手段は、前記読み直し指示手段が操作されたとき、前記読み取り開始指示手段が最後に操作されたときに前記蓄積手段に蓄積された画像データを消去することを特徴とする請求項６記載の画像形成装置。
【請求項８】
記録紙枚数を入力する記録紙枚数入力手段を有し、
前記消去手段は、前記記録紙枚数入力手段によって入力された記録紙枚数分の画像データを前記蓄積手段から消去することを特徴とする請求項６記載の画像形成装置。
【請求項９】
前記読み取り手段によって読み取られた原稿の枚数を表示する原稿枚数表示手段を有し、
前記消去手段は、前記読み直し指示手段によって原稿の読み直しが指示されたときに、前記原稿枚数表示手段に表示される原稿枚数を前記読み直しが指示された時点の原稿枚数に補正することを特徴とする請求項６〜８何れかに記載の画像形成装置。
【請求項１０】
読み直す原稿枚数を表示する読み直し原稿枚数を表示する読み直し原稿枚数表示手段を有し、
前記読み直し原稿枚数表示手段は、前記読み直し指示手段によって原稿の読み直しが指示されたときに、読み直す原稿枚数を表示することを特徴とする請求項６〜９何れか記載の画像形成装置。
【請求項１１】
取り除く記録紙枚数を表示する取り除き記録紙枚数表示手段を有し、
前記取り除き記録紙枚数表示手段は、前記読み直し指示手段によって原稿の読み直しが指示されたときに、取り除く原稿枚数を表示することを特徴とする請求項６〜１０何れかに記載の画像形成装置。
【請求項１２】
前記読み取り手段によって原稿が読み込まれないときには、前記読み直し指示手段の操作を無効にする無効手段を有することを特徴とする請求項６〜１１何れかに記載の画像形成装置。
【請求項１３】
前記蓄積手段に蓄積された最後または最初の画像データからｎ番目の消去ページを指示する消去数入力手段を有し、
前記消去手段は、前記消去数入力手段によって入力されたｎ番目の画像データを前記蓄積手段から消去することを特徴とする請求項１〜１２何れかに記載の画像形成装置。
【請求項１４】
前記蓄積手段に蓄積された原稿を前記印刷手段によって出力するときに、記録紙の出力開始位置を設定する第１設定手段および第２設定手段を有し、
前記第１設定手段に設定したときには、前記蓄積手段に蓄積された読み直し原稿のみを印刷して出力し、前記第２設定手段に設定したときには、前記蓄積手段に蓄積された読み直し原稿および読み直し原稿以降の原稿を印刷して出力することを特徴とする請求項１〜１３何れかに記載の画像形成装置。
【発明の詳細な説明】
【０００１】
【発明の属する技術分野】
本発明は、複合機、複写機、ファクシミリ装置、プリンタ装置等の画像形成装置に関し、詳しくは、原稿を一部ずつページ順に揃えて複数部の印刷を行なうソート機能を有する画像形成装置に関する。
【０００２】
【従来の技術】
複合機、複写機、ファクシミリ装置、プリンタ装置等の画像形成装置にあっては、原稿の読み取りを行なって画像データをメモリに蓄積し、この蓄積画像に基づいてコピーを一部ずつページ順に揃えて複数部の印刷を行なう、所謂、ソート機能を備えたものがある。
【０００３】
ところで、このようなソート機能を備えた画像形成装置にあっては、１部目の印刷中、すなわち、原稿の読み取り中に印刷画像を確認した結果、印刷画像に不備（オペレータが設定した画像濃度、倍率等の印刷条件が間違っていたり、ページ順、画像の方向や裏表等の原稿セットミス等）があった場合に、一旦読み込んだ画像を全て破棄し、そのジョブを最初からやり直さなければならなかった。すなわち、複数の原稿の一部の印刷画像に不備があった場合に、他の原稿の印刷結果が良好であった場合でも、全ての原稿の読み込みを行なわなければならないという不具合があった。
【０００４】
このような不具合を解消するものとしては、１部の原稿の印刷完了時に完成具合の確認を行ない、その仕上がりが良好であった場合にのみ２部目以降の印刷を行うことができる試し印刷機能が知られている。また、この試し印刷機能と組み合せて原稿の読み取りをし直す技術として、例えば、特許文献１または特許文献２に記載されたものが知られている。
【０００５】
特許文献１に記載されたものにあっては、画像データを記憶するための画像メモリと、印刷の開始を指示する第１のキーと、複数枚の原稿を複数部印刷する場合にサンプル印刷を行なうモードを設定する第２のキーと、各種印刷条件を設定する第３のキーと、第２のキーによりサンプル印刷モードが設定されるとともに、第１のキーが操作された場合に複数枚の原稿を順次読み取り、画像メモリに記憶して１部だけ記録紙にサンプル印刷して印刷を中断し、中断時に第３のキーを介して印刷条件が変更された場合に再度複数枚の原稿を順次読み取り、画像メモリに記憶して１部だけ記録紙にサンプル印刷して印刷を再中断し、中断時に第１のキーが操作された場合にセット部数から１部減じた部数だけ印刷するように制御する制御手段とを備えている。
【０００６】
また、特許文献２に記載されたものにあっては、読み取られたページ単位の画像データをメモリに蓄積した後、メモリに蓄積された全ページの画像データをテスト印刷して印刷結果を確認し、不良データがあれば、不良ページのデータをメモリから消去し、読み取り不良が発生した原稿の再度読み取り動作を行なって消去したメモリ上のページ位置に当該ページを挿入するようにしている。
【特許文献１】
特開平６−２６６１８８号公報
【特許文献２】
特開平１１−１２７３２４公報
【０００７】
【発明が解決しようとする課題】
しかしながら、特許文献１および特許文献２に記載された画像形成装置にあっては、全ての原稿を一旦読み取った後に記録紙に記録し、印刷画像を確認した後でなければ、原稿の読み直しができないため、印刷が良好な画像も再度読み直さなければならず、余計な読み取り作業が発生してしまうという問題があった。
【０００８】
そこで本発明は、ソートモードでの読み取りが終了する前に、正常に読み取られた画像に対して原稿の再読み取りを行なうのを不要にして、読み取り作業の作業性を向上させることができる画像形成装置を提供することを目的としている。
【０００９】
【課題を解決するための手段】
本発明は、上記課題を解決するために、原稿をページ単位に読み取る読み取り手段と、前記原稿を前記読み取り手段によって読み取るように読み取り開始を指示する読み取り開始指示手段と、前記読み取り手段によって読み取られた原稿の画像データをページ単位で蓄積する蓄積手段と、前記読み取り手段によって読み取られた画像または蓄積手段に蓄積された画像をページ単位で記録紙に印刷する印刷手段と、前記蓄積手段に蓄積された画像データに対して一部ずつページ順に揃える印刷処理をするように前記印刷手段を制御するソート手段と、前記ソート手段を動作させるソートモードを設定するソートモード設定手段とを備えた画像形成装置において、前記ソートモードが設定されたときに、前記読み取り開始手段が操作される度に１枚の原稿の読み取りを行なって前記蓄積手段に画像データを蓄積し、前記蓄積手段に蓄積された１ページの画像データを前記印刷手段によって１枚の記録紙に印刷する試し印刷手段と、前記ソートモードが設定されたときに、原稿の読み直しを指示する読み直し指示手段と、前記読み直し指示手段が操作されたときに、前記蓄積手段に最後に蓄積された画像データから遡って画像データをページ単位で消去する消去手段とを備えることを特徴としている。
【００１０】
その場合、ソートモードが設定されたときに、原稿を１枚ずつ読み取って１枚の記録紙に印刷し、印刷画像（すなわち、読み取り画像）に不備（オペレータが設定した画像濃度、倍率等の印刷条件が間違っていたり、ページ順、画像の方向や裏表等の原稿セットミス等）があれば、読み直し手段を操作して原稿の読み直しを行ない、蓄積手段に最後に蓄積された画像データから遡って画像データをページ単位で消去することができる。このため、ソートモードの終了前に、正常に読み取られた画像に対して原稿の再読み取りを行なうのを不要にして、読み取り作業の作業性を向上させることができる。
【００１１】
また、本発明は、上記課題を解決するために、前記消去手段は、前記読み直し指示手段が操作されたとき、前記読み取り開始指示手段が最後に操作されたときに前記蓄積手段に蓄積された画像データを消去することを特徴としている。
【００１２】
その場合、印刷された原稿を確認して印刷画像に不備があれば、読み直し指示手段を操作すると、読み取り開始指示手段が最後に操作されたときに蓄積手段に蓄積された画像データをページ単位で消去するので、読み直し指示手段を操作したときに、蓄積手段に最後に蓄積された画像データを自動的に消去することができる。
【００１３】
また、本発明は、上記課題を解決するために、前記蓄積手段に蓄積された画像データの消去ページ数を指示する消去数入力手段を有し、前記消去手段は、前記消去数入力手段によって入力されたページ数の画像データを前記蓄積手段から消去することを特徴としている。
【００１４】
その場合、任意の範囲の画像データを蓄積手段から消去することができるため、複数枚の原稿の読み取りを行なった場合でも、不備があった原稿まで遡って画像データを消去することができる。
【００１５】
また、本発明は、上記課題を解決するために、前記読み取り手段によって読み取られる原稿の枚数を表示する原稿枚数表示手段を有し、前記消去手段は、前記読み直し指示手段によって原稿の読み直しが指示されたときに、前記原稿枚数表示手段に表示される原稿枚数を前記読み直しが指示された時点の原稿枚数に補正することを特徴としている。
【００１６】
その場合、読み取った原稿枚数を示す表示を読み取り前の状態に戻すことができるので、原稿の読み取りをどのページまでやり直すことになるのかを確実に確認することができる。
【００１７】
また、本発明は、上記課題を解決するために、前記読み取り手段によって原稿が読み込まれないときには、前記読み直し指示手段の操作を無効にする無効手段を有すること特徴としている。
【００１８】
その場合、原稿の読み取りを行えない場合は原稿の読み直し操作を行なうことができないため、誤った操作が行なわれるのを防止することができ、操作性を向上させることができる。
【００１９】
また、本発明は、上記課題を解決するために、原稿をページ単位に読み取る読み取り手段と、前記原稿を前記読み取り手段によって読み取るように読み取り開始を指示する読み取り開始指示手段と、前記読み取り手段によって読み取られた原稿の画像データをページ単位で蓄積する蓄積手段と、前記読み取り手段によって読み取られた画像または蓄積手段に蓄積された画像をページ単位で記録紙に印刷する印刷手段と、前記印刷手段の印刷モードを設定する印刷モード設定手段と、前記蓄積手段に蓄積された画像データに対して一部ずつページ順に揃える印刷処理をするように前記印刷手段を制御するソート手段と、前記ソート手段を動作させるソートモードを設定するソートモード設定手段とを備えた画像形成装置において、前記ソートモードが設定されたときに、原稿の読み直しを指示する読み直し指示手段と、前記読み直し指示手段が操作されたときに、前記印刷モード設定手段により設定された印刷モードで印刷された記録紙を単位として消去画像数を算出し、前記蓄積手段に最後に蓄積された画像データから遡って画像データをページ単位で消去する消去手段とを備えることを特徴としている。
【００２０】
その場合、ソートモードが設定されたときに、原稿を１枚ずつ読み取って１枚の記録紙に印刷し、印刷画像（すなわち、読み取り画像）に不備（オペレータが設定した画像濃度、倍率等の印刷条件が間違っていたり、ページ順、画像の方向や裏表等の原稿セットミス等）があれば、読み直し手段を操作して原稿の読み直しを行う。
【００２１】
このとき、印刷モード設定手段により設定された印刷モード（両面モード、集約モード等）で印刷された記録紙を単位として消去画像数を算出する。例えば、片面印刷モードであれば画像消去数を１ページとし、両面印刷モードや片面集約モード（２ｉｎ１）であれば画像消去数を２ページとして蓄積手段に最後に蓄積された画像データから遡って画像データをページ単位で消去することができる。このため、ソートモードの終了前に、正常に読み取られた画像に対して原稿の再読み取りを行なうのを不要にして、読み取り作業の作業性を向上させることができる。
【００２２】
また、本発明は、上記課題を解決するために、前記消去手段は、前記読み直し指示手段が操作されたとき、前記読み取り開始指示手段が最後に操作されたときに前記蓄積手段に蓄積された画像データを消去することを特徴としている。
【００２３】
その場合、印刷された原稿を確認して印刷画像に不備があれば、読み直し指示手段を操作すると、読み取り開始指示手段が最後に操作されたときに蓄積手段に蓄積された画像データを記録紙単位で消去するので、読み直し指示手段を操作したときに、例えば、片面印刷モードであれば蓄積手段に最後に蓄積された１ページの画像データを自動的に消去することができ、また、両面印刷モードであれば蓄積手段に最後に蓄積された２ページの画像データを自動的に消去することができる。
【００２４】
また、本発明は、上記課題を解決するために、記録紙枚数を入力する記録紙枚数入力手段を有し、前記消去手段は、前記記録紙枚数入力手段によって入力された記録紙枚数分の画像データを前記蓄積手段から消去することを特徴としている。
【００２５】
その場合、任意の範囲の画像データを蓄積手段から消去することができるため、複数枚の原稿の読み取りを行なった場合でも、不備があった原稿まで遡って画像データを消去することができる。
【００２６】
また、本発明は、上記課題を解決するために、前記読み取り手段によって読み取られた原稿の枚数を表示する原稿枚数表示手段を有し、前記消去手段は、前記読み直し指示手段によって原稿の読み直しが指示されたときに、前記原稿枚数表示手段に表示される原稿枚数を前記読み直しが指示された時点の原稿枚数に補正することを特徴としている。
【００２７】
その場合、読み取った原稿枚数を示す表示を読み取り前の状態に戻すことができるので、原稿の読み取りをどのページまでやり直すことになるのかを確実に確認することができる。
【００２８】
また、本発明は、上記課題を解決するために、読み直す原稿枚数を表示する読み直し原稿枚数を表示する読み直し原稿枚数表示手段を有し、前記読み直し原稿枚数表示手段は、前記読み直し指示手段によって原稿の読み直しが指示されたときに、読み直す原稿枚数を表示することを特徴としている。
【００２９】
その場合、読み直す原稿枚数を直接知ることができるので、原稿の読み取りをより確実に行うことができる。
【００３０】
また、本発明は、上記課題を解決するために、取り除く記録紙枚数を表示する取り除き記録紙枚数表示手段を有し、前記取り除き記録紙枚数表示手段は、前記読み直し指示手段によって原稿の読み直しが指示されたときに、取り除く原稿枚数を表示することを特徴としている。
【００３１】
その場合、取り除く記録紙枚数を直接知ることができるので、記録紙の除去作業を簡単に行うことができる。
【００３２】
また、本発明は、上記課題を解決するために、前記読み取り手段によって原稿が読み込まれないときには、前記読み直し指示手段の操作を無効にする無効手段を有することを特徴としている。
【００３３】
その場合、原稿の読み取りを行えない場合は原稿の読み直し操作を行なうことができないため、誤った操作が行なわれるのを防止することができ、操作性を向上させることができる。
【００３４】
また、本発明は、上記課題を解決するために、前記蓄積手段に蓄積された最後または最初の画像データからｎ番目の消去ページを指示する消去数入力手段を有し、前記消去手段は、前記消去数入力手段によって入力されたｎ番目の画像データを前記蓄積手段から消去することを特徴としている。
【００３５】
その場合、指定されたページの画像データの読み直しを簡単に行うことができる。
【００３６】
また、本発明は、上記課題を解決するために、前記蓄積手段に蓄積された原稿を前記印刷手段によって出力するときに、記録紙の出力開始位置を設定する第１設定手段および第２設定手段を有し、前記第１設定手段に設定したときには、前記蓄積手段に蓄積された読み直し原稿のみを印刷して出力し、前記第２設定手段に設定したときには、前記蓄積手段に蓄積された読み直し原稿および読み直し原稿以降の原稿を印刷して出力することを特徴としている。
【００３７】
その場合、第１設定手段に設定したときには、蓄積手段に蓄積された読み直し原稿のみを印刷して出力することにより、読み直しされた原稿の印刷画像のみを確認することができ、記録紙が無駄になるのを防止することができる。
【００３８】
すなわち、例えば、１０ページの片面原稿を１枚の記録紙の両面に試し印刷を行う際に４ページ目の原稿の読み直しを行う場合には、記録紙が２枚印刷出力されることになる。
【００３９】
ここで、原稿の読み直しを行って読み直し原稿とそれ以降の原稿の試し印刷を行うと、合計で４枚の原稿の印刷出力を行う必要があり、記録紙が無駄になる。本発明では、第１設定手段に設定したときには、蓄積手段に蓄積された読み直し原稿のみを印刷して出力することにより、記録紙が無駄になるのを防止することができる。
【００４０】
また、第２設定手段に設定したときには、蓄積手段に蓄積された読み直し原稿および読み直し原稿以降の原稿を印刷して出力することにより、先に正常に出力された記録紙に後続する記録紙のページ順を自動的に揃えて出力することができる。
【００４１】
【発明の実施の形態】
以下、本発明の実施形態を図面に基づいて説明する。
図１〜８は本発明に係る画像形成装置の第１実施形態を示す図であり、画像形成装置として、複合機、複写機、ファクシミリ装置、プリンタ装置等に適用することができる。
【００４２】
まず、構成を説明する。図１、２において、画像形成装置５００の本体５００ａの上部には自動原稿搬送装置（以下、単にＡＤＦという）１が搭載されている。
【００４３】
このＡＤＦ１は原稿台２に原稿の画像面を上にして原稿束を載置可能になっており、この原稿台２に載置された原稿束は、操作部３０上のプリントキー３４が押下されると、一番下の原稿から分離手段３によって分離されるようになっている。
【００４４】
具体的には、分離手段３は反時計方向に回転する給紙ローラ３ａおよび反時計方向に回転する分離阻止ローラ３ｂを備えており、分離阻止ローラ３ｂによって上位の原稿の分離が阻止されるとともに、分離ローラ３ａによって最下位の原稿が給紙されるようになっている。
【００４５】
この分離原稿は給送ベルト４によってコンタクトガラス６上の所定の位置に給送され、読み取りユニット５０によってコンタクトガラス６上の原稿の画像データが読み取られた後、読み取りが終了した原稿は、給送ベルト４および排送ローラ対５によって排出されるようになっている。
【００４６】
また、原稿台２の原稿搬送方向下流側には原稿セット検知センサ７が設けられており、この原稿セット検知センサ７によって原稿台２に後続する原稿が有ることが検知された場合には、前原稿と同様に原稿束から原稿が分離されてコンタクトガラス６上に給送される。なお、給送ローラ３、給送ベルト４、排送ローラ５は図示しないモータによって駆動される。
【００４７】
また、原稿検知セットセンサ７の検知情報は後述するＣＰＵに信号を送信されるようになっており、ＣＰＵは原稿セット検知センサ７の検知信号に基づいて原稿台２上の原稿が無くなることが検知されるまでの原稿搬送回数により原稿の枚数を計数するようになっている。
【００４８】
また、本体５００ａ内には記録紙を収納する第１トレイ８、第２トレイ９、第３トレイ１０が設けられており、この第１〜３トレイ８〜１０に収納された記録紙は、各々搬送ローラを備えた第１給紙装置１１、第２給紙装置１２、第３給紙装置１３によって給紙され、上下方向に搬送ローラが配置された縦搬送ユニット１４によって感光体ドラム１５に当接する位置まで搬送される。
【００４９】
また、読み取りユニット５０で読み込まれた画像データは、書き込みユニット５７からのレーザによって感光体ドラム１５に書き込まれるようになっており、この感光体ドラム１５上には現像ユニット２７によってトナー像が形成される。
【００５０】
そして、この記録紙は感光体ドラム１５の回転と等速で回転する搬送ベルト１６によって搬送されながら、感光体ドラム１５上のトナー像が転写される。その後、定着ユニット１７に記録紙が搬送されると、定着ユニット１７によって画像が定着され、排紙ユニット１８によって排紙トレイ１２０に排出される。排紙トレイ１２０には、トレイ上の用紙の有無を検知するための排紙検知センサ１２１が備えられている。
【００５１】
また、記録紙の両面に画像を作像する場合には、各給紙トレイ８〜１０から給紙されて作像が終了した記録紙を排紙トレイ１２０側に導かないで、経路切り替えの為の分岐爪１１２を上側にセットすることにより、一旦両面給紙ユニット１１１に記録紙をストックする。
【００５２】
その後、両面給紙ユニット１１１にストックされた記録紙に再び感光体ドラム１５に作像されたトナー画像を転写するために、両面給紙ユニット１１１から記録紙が再給紙され、経路切り替えの為の分岐爪１１２を下側にセットして排紙トレイ１０４に導く。このように記録紙の両面に画像を作成する場合に両面給紙ユニット１１１を使用する。
【００５３】
なお、感光体ドラム１５、搬送ベルト１６、定着ユニット１７、排紙ユニット１８、現像ユニット２７は図示しないメインモータによって駆動されるようになっており、各給紙装置１１〜１３はメインモータの駆動を各々給紙クラッチによって伝達駆動されるようになっている。また、縦搬送ユニット１４はメインモータの駆動が中間クラッチによって伝達駆動されるようになっている。
【００５４】
また、図２に示すように、操作部３０は、液晶タッチパネル３１、テンキー３２、クリア／ストップキー３３、プリントキー３４、モードクリアキー３５、初期設定キー３８を備えており、液晶タッチパネル３１には、機能キー３７、部数、および画像形成装置５００の状態を示すメッセージなどが表示されるようになっている。
【００５５】
図３は操作部３０の液晶タッチパネル３１の表示を示すものであり、図３の左上には、「コピーできます」、「お待ちください」等のメッセージを表示するメッセージエリア３０１が設けられており、その右側には、セットした枚数を表示するコピー枚数表示部３０２と、原稿台２にセットされた原稿枚数を表示する原稿枚数表示部３０２ａとが設けられている。
【００５６】
また、メッセージエリア３０１およびコピー枚数表示部３０２の下方には画像濃度を自動的に調整する自動濃度キー３０３、記録紙サイズを選択する用紙選択キー３１３、３１４、３１５、記録紙を自動的に選択する自動用紙選択キー３０４、コピーを一部ずつページ順に揃える処理を指定するソートキー３０５、コピーをページ毎に仕分けする処理を指定するスタックキー３０６、ソート処理されたものを一部ずつ綴じる処理を指定するステープルキー３０７、倍率を等倍にセットする等倍キー３０８、拡大／縮小倍率をセットする変倍キー３０９、両面モードを設定する両面キー３１０、複数枚の原稿の画像データを記録紙の片面に集約する集約キー３１１、綴じ代モード等を設定する消去／移動キー（図示略）等が設けられている。
【００５７】
また、オペレータが液晶タッチパネル３１に表示された各種キーにタッチすることにより、選択された機能を示すキーが黒く反転されるようになっている（斜線が反転を示す）。
【００５８】
また、機能の詳細を指定しなければならない場合（例えば変倍であれは変倍値等）には、キーにタッチすることで、詳細機能の設定画面が表示される。このように、液晶タッチパネル３１は、ドット表示器を使用しているため、そのときの最適な表示をグラフィカルに行うことができる。
【００５９】
また、図４に示すように本実施形態では、ソートモード時に読み直しを指定する原稿読み直しキー３１６が設けられている。
【００６０】
また、図１において、書き込みユニット５７は読み取りユニット５０によって読み取られた画像データを感光体ドラム１５に潜像として形成するものである。ここで、潜像とは感光体ドラム１５面上に画像を光情報に変換して照射することにより生じる電位分布である。
【００６１】
図１において、書き込みユニット５７はレーザ出力ユニット５８、結像レンズ５９、ミラー６０で構成され、レーザ出力ユニット５８には、レーザ光源であるレーザダイオード及びモータによって高速で定速回転する回転多面鏡（ポリゴンミラー）から構成されており、レーザ出力ユニット５８より照射されるレーザ光は定速回転するポリゴンミラーで偏光され、結像レンズ５９を通り、ミラー６０で折り返され、感光体ドラム１５面上に集光結像されるようになっている。
【００６２】
偏光されたレーザ光は感光体ドラム１５が回転する方向と直行する方向（主走査方向）に露光走査され、後述する画像処理部のセレクタ６４より出力された画像信号のライン単位の記録を行なう。
【００６３】
感光体ドラム１５の回転速度と記録密度に対応した所定の周期で主走査を繰り返すことによって、感光体ドラム面上に画像（静電潜像）が形成される。
【００６４】
上述のように、書き込みユニット５７から出力されるレーザ光が、画像作像系の感光体ドラム１５に照射される。また、図示しないが感光体ドラム１５の一端近傍のレーザビームを照射される位置に主走査同期信号を発生するビームセンサが配置されている。この主走査同期信号に基づいて主走査方向の画像記録開始タイミングの制御、および後述する画像信号の入出力を行うための制御信号の生成を行う。
次に、画像処理部（読み取りユニット５０と書き込みユニット５７）の構成を図５に基づいて説明する。
【００６５】
図１、図５において、露光ランプ５１から照射された光は原稿面を照射されるようになっており、原稿面からの反射光はＣＣＤイメージセンサ５によって結像レンズ（図示せず）結像、受光されて光電変換された後、Ａ／Ｄコンバータ６１によってデジタル信号に変換されるようになっている。
【００６６】
このデジタル信号に変換された画像信号は、シェーディング補正６２がなされた後、画像処理部６３によりＭＴＦ補正、γ補正等が行なわれる。セレクタ６４では、画像信号の送り先を、変倍部７１または、画像メモリコントローラ６５への切り替えが行われる。
【００６７】
変倍部７１を経由した画像信号は変倍率に合せて拡大縮小され、書き込みユニット５７に送られる。画像メモリコントローラ６５とセレクタ６４間は、双方向に画像信号を入出力可能な構成となっている。　　なお、図５には特に明示していないが、画像処理部（ＩＰＵ）には、読み取り部５０から入力される画像データ以外にも外部から供給される画像データ（例えばパーソナルコンピュータ等のデータ処理装置から出力されるデータ）も処理できるよう、複数のデータの入出力の選択を行う機能を有している。
【００６８】
また、画像メモリコントローラ６５等への設定や、読み取り部５０および書き込み部５７の制御を行うＣＰＵ６８、及びそのプログラムやデータを格納するＲＯＭ６９、ＲＡＭ７０を備えている。さらに、ＣＰＵ６８は、メモリコントローラ６５を介して、画像メモリ６６のデータの書き込み、読み出しが行なわれるようになっている。また、このＣＰＵ６８に上述したように原稿セット検知センサ７からの出力信号が入力される。
次に、図６を用いて、セレクタ６４における１ページ分の画像信号について説明する。
【００６９】
／ＦＧＡＴＥ８０１は、１ページの画像データの副走査方向の有効期間を表している。／ＬＳＹＮＣ８０２は、１ライン毎の主走査同期信号であり、この信号が立ち上がった後の所定クロックで画像信号が有効となる。
【００７０】
主走査方向の画像信号が有効であることを示す信号が、／ＬＧＡＴＥ８０３である。これらの信号は、画素クロックＶＣＬＫ８０４に同期しており、ＶＣＬＫ８０４の１周期に対し１画素のデータが送られてくる。画像処理部（ＩＰＵ）は、画像入力、出力それぞれに対して別個の／ＦＧＡＴＥ８０１、／ＬＳＹＮＣ８０２、／ＬＧＡＴＥ８０３、ＶＣＬＫ８０４の発生機構を有しており、様々な画像入出力の組み合わせが実現可能になる。
次に、図７に基づいて図５に示すメモリコントローラ６５と画像メモリ６６の構成を説明する。
【００７１】
メモリコントローラ６５は、入力データセレクタ１０１、画像合成１０２、１次圧縮／伸長１０３、出力データセレクタ１０４、２次圧縮／伸長１０５のブロックを有しており、各ブロックへの制御データの設定はＣＰＵ６８より行われる。図７におけるアドレス、データは画像データを示しており、ＣＰＵ６８に接続されるデータ、アドレスは図示していない。
【００７２】
画像メモリ６６は、１次および２次記憶装置１０６、１０７から構成されている。１次記憶装置１０６は、入力画像データの転送速度に略同期してメモリへのデータ書き込み、または画像出力時のメモリからのデータ読み出しが高速に行えるように、例えばＤＲＡＭ等の高速アクセスが可能なメモリを使用する。また、１次記憶装置１０６は、処理を行う画像データの大きさにより複数のエリアに分割して画像データの入出力を同時に実行可能な構成（メモリコントローラとのインターフェース部）をとっている。各分割したエリアに画像データの入力、出力をそれぞれ並列に実行可能にするためにメモリコントローラとのインターフェース部にリード用とライト用の二組のアドレス・データ線で接続されている。これによりエリア１に画像を入力（ライト）する間にエリア２より画像を出力（リード）するという動作が可能になる。
【００７３】
２次記憶装置１０７は、入力された画像の合成、ソーティングを行うためにデータを保存しておく大容量のメモリである。１次、２次記憶装置１０６、１０７共に、高速アクセス可能な素子を使用すれば、１次、２次の区別なくデータの処理を行なうことができ、制御も比較的簡単になるが、ＤＲＡＭ等の素子は高価なため、２次記憶装置１０７にはアクセス速度はそれほど速くないが、安価で、大容量の記録媒体を使用し、入出力データの処理を１次記憶装置１０６を介して行う構成になっている。
【００７４】
上述のような画像メモリの構成を採用することにより、大量の画像データの入出力、保存、加工等の処理が可能な画像形成装置を安価、かつ比較的簡単な構成で実現することが可能になる。
次に、メモリコントローラ６５の動作の概略を説明する。
（１）画像入力（画像メモリ６６への保存）
【００７５】
入力データセレクタ１０１は複数のデータの内から画像メモリ（１次記憶装置１０６）への書き込みを行う画像データの選択を行う。
【００７６】
入力データセレクタ１０１によって選択された画像データは、画像合成１０２に供給され、既に画像メモリに保存されているデータとの合成を行う。
【００７７】
画像合成１０２によって処理された画像データは、１次圧縮／伸長１０３によりデータを圧縮し、圧縮後のデータを１次記憶装置１０６に書き込む。１次記憶装置１０６に書き込まれたデータは、必要に応じて２次圧縮／伸長１０５で更に圧縮を行った後に２次記憶装置１０７に保存される。
【００７８】
（２）画像出力（画像メモリ６６からの読み出し）
【００７９】
画像出力時は、１次記憶装置１０６に記憶されている画像データの読み出しを行う。出力対象となる画像が１次記憶装置１０６に格納されている場合には、１次圧縮／伸長１０３で１次記憶装置１０６の画像データの伸長を行い、伸長後のデータ、もしくは伸長後のデータと入力データとの画像合成を行った後のデータを出力データセレクタ１０４で選択し、出力する。
【００８０】
画像合成１０２は、１次記憶装置１０６のデータと、入力データとの合成（画像データの位相調整機能を有する）、合成後のデータの出力先の選択（画像出力、１次記憶装置１０６へのライトバック、両方の出力先への同時出力も可能）等の処理を行う。
【００８１】
出力対象となる画像が１次記憶装置１０６に格納されていない場合には、２次記憶装置１０７に格納されている出力対象画像データを２次圧縮／伸長１０５で伸長を行い、伸長後のデータを１次記憶装置１０６に書き込んでから、以下、上述の画像出力動作を行う。
【００８２】
また、作業分担するために他のデジタル複写機とコマンドや画像データの送受信を行う必要があるが、これは、この実施例では、ＳＣＳＩインターフェース部を使い実現している。図５に示すメモリコントローラがＳＣＳＩドライバ８０を介してそれを実現している。
【００８３】
次に、本発明の特徴部分を説明する。
【００８４】
本実施形態では、読み取りユニット５０が原稿台２にセットされた原稿をページ単位に読み取る読み取り手段を構成している。
【００８５】
また、プリントキー３４が、読み取りユニット５０によって読み取るように読み取り開始を指示する読み取り開始指示手段を構成している。
【００８６】
また、画像メモリ６６が読み取りユニット５０によって読み取られた原稿の画像データをページ単位で蓄積する蓄積手段を構成している。
【００８７】
また、書き込みユニット６０、感光体ドラム１５、現像ユニット２７、搬送ベルト１６および定着ユニット１７は、画像メモリ６６に蓄積された画像をページ単位で記録紙に印刷する印刷手段を構成している。
【００８８】
また、印刷手段は、読み取りユニット５０によって読み取られた画像を画像メモリに記憶せずに記録紙に直接コピーしても良い。
【００８９】
また、ＣＰＵ６８は、ソートキー３０５が押下されると、画像メモリ６６に蓄積された画像データを１部ずつ順に揃える印刷を行なって複数部のファイルを印刷するように第１給紙装置１１、第２給紙装置１２、第３給紙装置１３および縦搬送ユニット１４を作動させるようになっており、ＣＰＵ６８、ソートキー３０５、第１給紙装置１１、第２給紙装置１２、第３給紙装置１３および縦搬送ユニット１４はソート手段を構成している。
【００９０】
また、ソートキー３０５はソート手段を動作させるソートモードを設定するソートモード設定手段を構成している。
【００９１】
本実施形態では、ＣＰＵ６８は、ソートキー３０５を押下してソートモードが設定されたときに、プリントキー３４が操作されると、プリントキー３４からの出力が入力される度に１枚の原稿を原稿台２から分離手段３によって分離した後、読み取りユニット５０によって読み取りを行なうことにより、画像メモリ６６に画像データを蓄積し、画像データ６６に蓄積された１ページの画像データを印刷手段によって１枚の記録紙に印刷する試しコピーを行なうようになっており、ＣＰＵ６８、プリントキー３４、第１給紙装置１１、第２給紙装置１２、第３給紙装置１３および縦搬送ユニット１４は試し印刷手段を構成している。
【００９２】
また、ソートモードに設定されたときに原稿読み直しキー３１６が押下されると、原稿の読み直しが指示されるようになっており、原稿読み直しキー３１６は読み直し指示手段を構成している。
【００９３】
ＣＰＵ６８は、原稿読み直しキー３１６が押下されたときに、画像メモリ６６に最後に蓄積された画像データから遡って画像データをページ単位で消去するようになっており、消去手段を構成している。特に、ＣＰＵ６８は、原稿読み直しキー３１６が押下された時点で画像メモリ６６に蓄積された画像データを消去するようになっている。
【００９４】
また、ＣＰＵ６８は、読み取りユニット５０によって原稿が読み込まれないときには、原稿読み直しキー３１６の操作を無効にするようになっており、無効手段も構成している。
【００９５】
そして、ＣＰＵ６８はテンキー３２に設けられた図示しない「＃キー」を操作したときに、試しコピーを終了してソート部数に設定されたコピー部数の印刷を行なうように２部目移行のコピーを行なう。
次に、図８のフローチャートに基づいて試しコピー処理を説明する。
【００９６】
最初に原稿枚数を表示するための原稿枚数カウンタを初期化し、値を０にする（ステップＳ１０１）。この原稿枚数のカウント値は、ＲＡＭ７０に格納されるものである。
【００９７】
次いで、最終原稿確定キーである＃キーが押下されたか否かを判別し（ステップＳ１０２）、押下されていない場合には、プリントキー３４が押下されたか否かを判別する（ステップＳ１０３）。プリントキー３４が押下された場合には、原稿台２にセットされた原稿束から分離手段３によって最下位に位置する原稿を分離した後、コンタクトガラス６に搬送して読み取りユニット５０によって原稿の画像を読み取る（ステップＳ１０９）。次いで、この画像データを画像メモリ６６の１次メモリ１０６に格納した後、原稿枚数をＲＡＭ７０にカウントアップする（ステップＳ１１０、Ｓ１１１）。
【００９８】
次いで、ＲＡＭ７０内の原稿枚数カウンタが０よりも大きいか否かを判別し（ステップＳ１０７）、大きい場合には原稿読み直しキー３１６を表示し（ステップＳ１１２）、小さい場合には原稿読み直しキー３１６を消去してボタン操作の無効処理を実施する（ステップＳ１１２）。
【００９９】
なお、ステップＳ１０２、Ｓ１０３、Ｓ１０９、Ｓ１１０、Ｓ１１１の処理において記録紙に印刷を行なう。
【０１００】
一方、ステップＳ１０３でプリントキーが押下されない場合には、原稿読み直しキー３１６が押下されたか否かを判別し（ステップＳ１０４）、原稿読み直しキー３１６が押下されない場合には、ステップＳ１０２に移行する。
【０１０１】
Ｓ１０４で原稿読み直しキー３１６が押下された場合には、直前に読み取った画像データ、すなわち、１次記憶装置１０６に最後に記憶された画像データを消去した後（ステップＳ１０５）、ＲＡＭ７０内の原稿枚数カウンタをカウントダウンする（ステップＳ１０６）。ここで、原稿読み直しキー３１６を押下するのは、印刷画像（すなわち、読み取り画像）に不備（オペレータが設定した画像濃度、倍率等の印刷条件が間違っていたり、ページ順、画像の方向や裏表等の原稿セットミス等）があった場合に、オペレータが再度、原稿を読み直す必要がある場合である。
【０１０２】
次いで、ＲＡＭ７０内の原稿枚数カウンタが０よりも大きいか否かを判別し（ステップＳ１０７）、大きい場合には原稿読み直しキー３１６を表示し（ステップＳ１０８）、小さい場合には原稿読み直しキー３１６を消去してボタン操作の無効処理を実施する（ステップＳ１１２）。
【０１０３】
また、ステップＳ１０２で＃キーが押下されたものと判断された場合には、１次記憶装置１０６内に記憶された画像データの先頭ページから最終ページまで、すなわち、２部目の画像データの印刷を行ない（ステップＳ１１３）、設定部数の印刷が終了したか否かを判別し（ステップＳ１１４）、設定部数の印刷が終了した場合には今回の処理を終了する。
【０１０４】
このように本実施形態では、ソートモードが設定されたときに、原稿を１枚ずつ読み取って１枚の記録紙に印刷し、印刷画像に不備があれば、読み直しキー３１６を押下して原稿の読み直しを行ない、画像メモリ６６に最後に蓄積された画像データをページ単位で消去することができる。このため、ソートモードの終了前に、正常に読み取られた画像に対して原稿の再読み取りを行なうのを不要にして、読み取り作業の作業性を向上させることができる。
【０１０５】
特に、原稿読み直しキー３１６が押下されたとき、プリントキー３４が最後に操作されたときに画像メモリ６６に蓄積された画像データを消去しているため、原稿読み直しキー３１６を操作したときに、画像メモリ６６に最後に蓄積された画像データを自動的に消去することができる。
【０１０６】
また、読み取りユニット５０によって原稿が読み込まれないときには、原稿読み直しキー３１６の操作を無効にしているため、原稿の読み取りを行えない場合は原稿の読み直し操作を行なうことができないため、誤った操作が行なわれるのを防止することができ、操作性を向上させることができる。
【０１０７】
図１〜７および図９、１０は本発明に係る画像形成装置の第２実施形態を示す図であり、本実施形態では、試しコピー処理が第１実施形態と異なるのみでその他の構成は同一である。
【０１０８】
本実施形態では、原稿読み直しキー３１６を押下したときに、図９に示すように、液晶表示パネル３１に読み直し原稿枚数の画面３１７が表示されるようになっており、この画面３１７が表示されたときに、テンキー３２によって画像メモリ６６に蓄積された画像データの消去ページ数を指示して画面３１７の「ＯＫ」キーを押下するようになっている。本実施形態では、テンキー３２および液晶表示パネル３１が消去数入力手段を構成している。
【０１０９】
また、ＣＰＵ６８は、テンキー３２によって入力されたページ数の画像データを画像メモリ６６に記憶された最終ページの画像データから遡って消去するようになっている。
【０１１０】
また、原稿枚数表示部３０２ａには読み取りユニット５０によって読み取られた原稿の枚数が表示されるようになっており、本実施形態では原稿枚数表示部３０２ａが原稿枚数表示手段を構成している。
【０１１１】
また、ＣＰＵ６８は原稿読み直しキー３１６によって原稿の読み直しが指示されたときに、原稿枚数表示部３０２ａに表示される原稿枚数を原稿読み直しキー３１６が指示された時点の原稿枚数に補正するようになっている。
次に、図１０のフローチャートに基づいて試しコピー処理を説明する。
【０１１２】
最初に原稿枚数を表示するためのＲＡＭ７０内の原稿枚数カウンタを初期化し、値を０にする（ステップＳ２０１）。
【０１１３】
次いで、最終原稿確定キーである＃キーが押下されたか否かを判別し（ステップＳ２０２）、押下されていない場合には、プリントキー３４が押下されたか否かを判別する（ステップＳ２０３）。プリントキー３４が押下された場合には、原稿台２にセットされた原稿束から分離手段３によって最下位に位置する原稿を分離した後、コンタクトガラス６に搬送して読み取りユニット５０によって原稿の画像を読み取る（ステップＳ２１０）。次いで、この画像データを画像メモリ６６の１次メモリ１０６に格納した後、原稿枚数をＲＡＭ７０にカウントアップする（ステップＳ２１１、Ｓ２１２）。
【０１１４】
次いで、ＲＡＭ７０内の原稿枚数カウンタが０よりも大きいか否かを判別し（ステップＳ２０７）、大きい場合には原稿読み直しキー３１６を表示し（ステップＳ２０９）、小さい場合には原稿読み直しキー３１６を消去してボタン操作の無効処理を実施する（ステップＳ２１３）。
【０１１５】
なお、ステップＳ２０２、Ｓ２０３、Ｓ２１０、Ｓ２１１、Ｓ２１２の処理において記録紙に印刷を行なう。
【０１１６】
一方、ステップＳ２０３でプリントキーが押下されない場合には、原稿読み直しキー３１６が押下されたか否かを判別し（ステップＳ２０４）、原稿読み直しキー３１６が押下されない場合には、ステップＳ２０２に移行する。
【０１１７】
Ｓ２０４で原稿読み直しキー３１６が押下された場合には、テンキー３２によって消去画像数を入力し、読み直し原稿枚数の画面３１７のＯＫキーを押下する（ステップＳ２０５）。
【０１１８】
次いで、１次記憶メモリ１０６から直前に読み取った画像データから遡って入力された画像データを消去した後（ステップＳ２０６）、ＲＡＭ７０内の原稿枚数カウンタから消去画像数を減算する（ステップＳ２０７）。このため、原稿枚数表示部３０２ａに表示される原稿枚数が減算された値に表示される。例えば、原稿枚数が１５枚、１５枚目の画像を読み取って原稿読み直しキー３１６が操作されて画像消去数が２に設定された場合には、原稿枚数表示部３０２ａに表示される原稿枚数は１３である。
【０１１９】
次いで、ＲＡＭ７０内の原稿枚数カウンタが０よりも大きいか否かを判別し（ステップＳ２０８）、大きい場合には原稿読み直しキー３１６を表示し（ステップＳ２０９）、小さい場合には原稿読み直しキー３１６を消去してボタン操作の無効処理を実施する（ステップＳ２１３）。
【０１２０】
また、ステップＳ２０２で＃キーが押下されたものと判断された場合には、１次記憶装置１０６内に記憶された画像データの先頭ページから最終ページまで、すなわち、２部目の画像データの印刷を行ない（ステップＳ２１４）、設定部数の印刷が終了したか否かを判別し（ステップＳ２１５）、設定部数の印刷が終了した場合には今回の処理を終了する。
【０１２１】
このように本実施形態では、画像メモリ６６に蓄積された画像データの消去ページ数を指示し、指定されたページ数の画像データを画像メモリ６６から消去するようにしたため、任意の範囲の画像データを画像メモリ６６から消去することができる。このため、複数枚の原稿の読み取りを行なった場合でも、不備があった原稿まで遡って画像データを消去することができる。
【０１２２】
また、本実施形態では、読み取りユニット５０によって読み取られる原稿の枚数を表示し、原稿読み直しキー３１６によって原稿の読み直しが指示されたときに、原稿枚数表示部３０２ａに表示される原稿枚数を読み直しが指示された時点の原稿枚数に補正するようにしたため、読み取った原稿枚数を示す表示を読み取り前の状態に戻すことができる、原稿の読み取りをどのページまでやり直すことになるのかを確実に確認することができる。
【０１２３】
図１〜７および図１１〜１３は本発明に係る画像形成装置の第３実施形態を示す図である。なお、本実施形態では、試しコピー処理が第１実施形態と異なるのみでその他の構成は同一である。
【０１２４】
本実施形態では、両面モードを設定する両面キー３１０、複数枚の原稿の画像データを記録紙の片面に集約する集約キー３１１が印刷モード設定手段を構成しており、消去手段を構成するＣＰＵ６８が、読み直しキー３１６が操作されたときに、印刷モード設定手段により設定された印刷モードで印刷された記録紙を単位として消去画像数を算出し、画像メモリ６６に最後に蓄積された画像データから遡って画像データをページ単位で消去することを特徴としている。特に、ＣＰＵ６８は、原稿読み直しキー３１６が押下された時点で画像メモリ６６に蓄積された画像データを消去するようになっている。
【０１２５】
また、ＣＰＵ６８は、読み取りユニット５０によって原稿が読み込まれないときには、原稿読み直しキー３１６の操作を無効にするようになっており、無効手段も構成している。
【０１２６】
また、原稿枚数表示部３０２ａには読み取りユニット５０によって読み取られた原稿の枚数が表示されるようになっており、本実施形態では原稿枚数表示部３０２ａが原稿枚数表示手段を構成している。
【０１２７】
また、ＣＰＵ６８は原稿読み直しキー３１６によって原稿の読み直しが指示されたときに、原稿枚数表示部３０２ａに表示される原稿枚数を原稿読み直しキー３１６が指示された時点の原稿枚数に補正するようになっている。
【０１２８】
また、メッセージエリア３０１には、原稿読み直しキー３１６によって原稿の読み直しが指示されたときに、読み直しを行う原稿枚数が表示されるようになっており、メッセージエリア３０１は読み直し原稿枚数表示手段を構成している。次に、図１１〜１３のフローチャートに基づいて試しコピー処理を説明する。
【０１２９】
最初に原稿枚数を表示するためのＲＡＭ７０内の原稿枚数カウンタを初期化し、値を０にする（ステップＳ３０１）。
【０１３０】
次いで、最終原稿確定キーである＃キーが押下されたか否かを判別し（ステップＳ３０２）、＃キーが押下されていない場合には、プリントキー３４が押下されたか否かを判別する（ステップＳ３０３）。
【０１３１】
プリントキー３４が押下された場合には、原稿台２にセットされた原稿束から分離手段３によって最下位に位置する原稿を分離した後、コンタクトガラス６に搬送して読み取りユニット５０によって原稿の画像を読み取る（ステップＳ３１４）。次いで、この画像データを画像メモリ６６の１次メモリ１０６に格納した後、原稿枚数をＲＡＭ７０にカウントアップする（ステップＳ３１５、Ｓ３１６）。
【０１３２】
次いで、ＲＡＭ７０内の原稿枚数カウンタが０よりも大きいか否かを判別し（ステップＳ３１１）、大きい場合には原稿読み直しキー３１６を表示し（ステップＳ３１２）、小さい場合には原稿読み直しキー３１６を消去してボタン操作の無効処理を実施する（ステップＳ３１３）。
【０１３３】
なお、ステップＳ３０２、Ｓ３０３、Ｓ３１４、Ｓ３１５、Ｓ３１６の処理において記録紙に印刷を行なう。
【０１３４】
一方、ステップＳ３０３でプリントキーが押下されない場合には、原稿読み直しキー３１６が押下されたか否かを判別し（ステップＳ３０４）、原稿読み直しキー３１６が押下されない場合には、ステップＳ３０２に移行する。
【０１３５】
Ｓ３０４で原稿読み直しキー３１６が押下された場合には、最後に読み取った画像データで印刷された１枚分の記録紙の画像を消去するために、最後に印刷された記録紙を指定し（ステップＳ３０５）、この記録紙１枚分の画像を消去するために画像消去数を図１２のフローチャートに基づいて算出する（ステップＳ３０６）。
【０１３６】
図１２は印刷モードにより記録紙枚数と画像数が一致しない場合に、記録紙枚数から消去画像数を判断することができないから必要な処理である。本実施形態では、初期状態では、画像消去数を指定記録紙枚数と同数とし（ステップＳ４０１）、両面印刷モードであるか否かを判別する（ステップＳ４０２）。ここで片面印刷モードであれば、画像消去数を１にセットし、両面印刷モードであれば、画像消去数を（画像消去数×２）にセットする（ステップＳ４０３）。
【０１３７】
次いで、１次記憶メモリ１０６から直前に読み取った画像データから遡って画像消去数分の読み取った画像データを消去した後（ステップＳ３０７）、図１３のフローチャートに基づいて原稿戻し枚数を計算する（ステップＳ３０８）。
【０１３８】
図１３は印刷モードにより記録紙枚数と画像数が一致しない場合に、記録紙枚数から原稿の戻し枚数を判断することができないから必要な処理である。本実施形態では、初期状態では、原稿戻し枚数を指定記録紙枚数と同数とし（ステップＳ５０１）、両面印刷モードであるか否かを判別する（ステップＳ５０２）。
【０１３９】
ここで、両面印刷モードであれば、原稿戻し枚数を２倍した後（ステップＳ５０３）、Ｎｉｎ１集約モード（例えば、２枚の原稿を片面に集約する２ｉｎ１集約モード）であるか否かを判別する（ステップＳ５０４）。また、ステップＳ５０２で片面印刷モードであれば、原稿戻し枚数を１にセットしてステップＳ５０４に移行する。ステップＳ５０４でＮｉｎ１集約モードであれば、原稿戻し枚数をＮ倍し、Ｎｉｎ１集約モードでないのでれば、１にセットする。
【０１４０】
ステップＳ３０８で原稿戻し枚数の計算が終了すると、ＲＡＭ７０内の原稿枚数カウンタから消去画像数を減算した後（ステップＳ３０９）、原稿枚数表示部３０２ａに原稿の戻し枚数を表示する（ステップＳ３１０）。
【０１４１】
次いで、ＲＡＭ７０内の原稿枚数カウンタが０よりも大きいか否かを判別し（ステップＳ３１１）、大きい場合には原稿読み直しキー３１６を表示し（ステップＳ３１２）、小さい場合には原稿読み直しキー３１６を消去してボタン操作の無効処理を実施する（ステップＳ３１３）。
【０１４２】
また、ステップＳ３０２で＃キーが押下されたものと判断された場合には、１次記憶装置１０６内に記憶された画像データの先頭ページから最終ページまで、すなわち、２部目の画像データの印刷を行ない（ステップＳ３１７）、設定部数の印刷が終了したか否かを判別し（ステップＳ３１８）、設定部数の印刷が終了した場合には今回の処理を終了する。
【０１４３】
このように本実施形態では、消去手段を構成するＣＰＵ６８が、読み直しキー３１６が操作されたときに、印刷モード設定手段により設定された印刷モードで印刷された記録紙を単位として消去画像数を算出し、画像メモリ６６に最後に蓄積された画像データから遡って画像データをページ単位で消去するようにしたため、ソートモードの終了前に、正常に読み取られた画像に対して原稿の再読み取りを行なうのを不要にして、読み取り作業の作業性を向上させることができる。
【０１４４】
特に、原稿読み直しキー３１６が押下されたとき、プリントキー３４が最後に操作されたときに画像メモリ６６に蓄積された画像データを消去しているため、原稿読み直しキー３１６を操作したときに、画像メモリ６６に最後に蓄積された画像データを自動的に消去することができる。
【０１４５】
また、読み取りユニット５０によって原稿が読み込まれないときには、原稿読み直しキー３１６の操作を無効にしているため、原稿の読み取りを行えない場合は原稿の読み直し操作を行なうことができないため、誤った操作が行なわれるのを防止することができ、操作性を向上させることができる。
【０１４６】
また、読み取りユニット５０によって読み取られる原稿の枚数を表示し、原稿読み直しキー３１６によって原稿の読み直しが指示されたときに、原稿枚数表示部３０２ａに表示される原稿枚数を読み直しが指示された時点の原稿枚数に補正するようにしたため、読み取った原稿枚数を示す表示を読み取り前の状態に戻すことができる、原稿の読み取りをどのページまでやり直すことになるのかを確実に確認することができる。
【０１４７】
また、原稿枚数表示部３０２ａに読み直しを行う原稿枚数を表示するようにしたため、読み直す原稿枚数を直接知ることができ、原稿の読み取りをより確実に行うことができる。
【０１４８】
図１〜７、図１２、１３および図１４、１５は本発明に係る画像形成装置の第４実施形態を示す図である。なお、本実施形態では、試しコピー処理が第３実施形態と異なるのみでその他の構成は同一である。
【０１４９】
本実施形態では、原稿読み直しキー３１６を押下したときに、図１５（ａ）に示すように、読み直しを行う記録紙枚数の画面３１８が表示されるようになっており、この画面３１８が表示されたときに、画像メモリ６６に蓄積された画像データからテンキー３２によって入力された記録紙枚数に対応する画像データが消去されるようになっている。また、テンキー３２によって記録紙枚数を入力したときに「ＯＫ」キーを押下することにより、消去枚数が確定される。本実施形態では、テンキー３２および液晶表示パネル３１が記録紙枚数入力手段を構成している。
次に、図１４のフローチャートに基づいて試しコピー処理を説明する。
【０１５０】
最初に原稿枚数を表示するためのＲＡＭ７０内の原稿枚数カウンタを初期化し、値を０にする（ステップＳ６０１）。
【０１５１】
次いで、最終原稿確定キーである＃キーが押下されたか否かを判別し（ステップＳ６０２）、＃キーが押下されていない場合には、プリントキー３４が押下されたか否かを判別する（ステップＳ６０３）。
【０１５２】
プリントキー３４が押下された場合には、原稿台２にセットされた原稿束から分離手段３によって最下位に位置する原稿を分離した後、コンタクトガラス６に搬送して読み取りユニット５０によって原稿の画像を読み取る（ステップＳ６１４）。次いで、この画像データを画像メモリ６６の１次メモリ１０６に格納した後、原稿枚数をＲＡＭ７０にカウントアップする（ステップＳ６１５、Ｓ６１６）。
【０１５３】
次いで、ＲＡＭ７０内の原稿枚数カウンタが０よりも大きいか否かを判別し（ステップＳ６１１）、大きい場合には原稿読み直しキー３１６を表示し（ステップＳ６１２）、小さい場合には原稿読み直しキー３１６を消去してボタン操作の無効処理を実施する（ステップＳ６１３）。
【０１５４】
一方、ステップＳ３０３でプリントキー３４が押下されない場合には、原稿読み直しキー３１６が押下されたか否かを判別し（ステップＳ６０４）、原稿読み直しキー３１６が押下されない場合には、ステップＳ６０２に移行する。
【０１５５】
Ｓ６０４で原稿読み直しキー３１６が押下された場合には、図１５（ａ）に示すような印刷取消枚数として記録紙枚数を入力する（ステップＳ６０５）。
【０１５６】
次いで、入力された印刷取消枚数を上述した図１２のフローチャートに基づいて算出する（ステップＳ６０６）。
【０１５７】
次いで、１次記憶メモリ１０６から直前に読み取った画像データから遡って画像消去数分の読み取った画像データを消去した後（ステップＳ６０７）、上述したように図１３のフローチャートに基づいて原稿戻し枚数を計算する（ステップＳ６０８）。
【０１５８】
ステップＳ６０８で原稿戻し枚数の計算が終了すると、ＲＡＭ７０内の原稿枚数カウンタから消去画像数を減算した後（ステップＳ６０９）、図１５（ｂ）に示すように、原稿枚数表示部３０２ａに原稿の戻し枚数を表示する。なお、図１５（ａ）において、１６枚の原稿の試し印刷を行ったときに、印刷取消枚数として、記録紙の両面印刷、２ｎｉ１の片面集約印刷の記録紙を用いた場合に、２枚の記録紙の画像データを消去するように設定すると、図１５（ｂ）に示すように４枚の原稿を戻すような表示を行う。
【０１５９】
次いで、ＲＡＭ７０内の原稿枚数カウンタが０よりも大きいか否かを判別し（ステップＳ６１１）、大きい場合には原稿読み直しキー３１６を表示し（ステップＳ６１２）、小さい場合には原稿読み直しキー３１６を消去してボタン操作の無効処理を実施する（ステップＳ６１３）。
【０１６０】
また、ステップＳ６０２で＃キーが押下されたものと判断された場合には、１次記憶装置１０６内に記憶された画像データの先頭ページから最終ページまで、すなわち、２部目の画像データの印刷を行ない（ステップＳ６１７）、設定部数の印刷が終了したか否かを判別し（ステップＳ６１８）、設定部数の印刷が終了した場合には今回の処理を終了する。
【０１６１】
このように本実施形態では、第３実施形態と同様の効果を得ることができることに加えて、原稿読み直しキー３１６を押下したときに、読み直しを行う記録紙枚数の画面３１８を表示し、この画面３１８が表示されたときに、画像メモリ６６に蓄積された画像データからテンキー３２によって入力された記録紙枚数に対応する画像データを消去するようにしたため、取り除く記録紙枚数を直接知ることができ、記録紙の除去作業を簡単に行うことができる。
【０１６２】
図１〜７、図１６〜１９は本発明に係る画像形成装置の第５実施形態を示す図である。なお、本実施形態では、試しコピー処理が第１実施形態と異なるのみでその他の構成は同一である。
【０１６３】
本実施形態では、原稿読み直しキー３１６を押下したときに、図１７に示すように、読み直し原稿枚数の入力用の画面３１９が表示されるようになっており、この画面３１９が表示されたときに、画像メモリ６６に蓄積された最後または最初の画像データからｎ番目の画像データを消去するように指示する。
【０１６４】
これに加えて、ｎ番目から何ページ目の画像までを消去するように指示するようになっている。例えば、先頭からｎ番目のページが５ページを設定し、部数を３部に設定して「ＯＫ」キーを押下すれば７ページ目までの３ページの画像データを消去するように指示可能である。そして、ＣＰＵ６８は、テンキー３２によって指示された画像データを画像メモリから消去する。本実施形態では、テンキー３２および液晶表示パネル３１が消去数入力手段を構成している。
【０１６５】
また、本実施形態では、原稿読み直しキー３１６を押下して原稿の読み直しを行うために、画像メモリ６６に蓄積された原稿をコピーして出力するときに、図１８に示すように、画面３２０を表示するようになっている。
【０１６６】
この画面３２０には「出力した記録紙を無効にしますか？」と表示されるようになっており、ここで「はい」キーを押下すると、ＣＰＵ６８は画像メモリ６６に蓄積された読み直し原稿および読み直し原稿以降の原稿を印刷して出力する制御を行い、「いいえ」キーを押下すると、ＣＰＵ６８は画像メモリ６６に蓄積された読み直し原稿のみを印刷して出力する制御を行うようになっている。
【０１６７】
本実施形態では、「はい」キーが第２設定手段を構成し、「いいえ」キーが第１設定手段を構成しており、実質的には液晶表示パネル３１が第１設定手段および第２設定手段を構成している。
【０１６８】
また、本実施形態では、「いいえ」キーを押下したときに、図１９に示すように、取り除く記録紙の枚数を表示する画面３２１を表示するようになっており、液表表示パネル３２１は取り除き記録紙枚数表示手段を構成している。
次に、図１６のフローチャートに基づいて試しコピー処理を説明する。
【０１６９】
最初に原稿枚数を表示するためのＲＡＭ７０内の原稿枚数カウンタを初期化し、値を０にする（ステップＳ７０１）。
【０１７０】
次いで、プリントキー３４が押下されたか否かを判別し（ステップＳ７０２）、押下されていない場合には、原稿読み直しキー３１６が押下されたか否かを判別する（ステップＳ７０３）。
【０１７１】
原稿読み直しキー３１６が押下されると、液晶表示パネル３１に図１７に示す画面３１９を表示する（ステップＳ７０４）。
【０１７２】
次いで、ユーザが画像メモリ６６に蓄積された先頭または末尾からの消去画像データの指定と指定部数の指示を行うと（ステップＳ７０５）、画面３１９から指定されたページ位置から指定部数だけ画像メモリ６６に蓄積されていた画像データを消去し（ステップＳ７０６）、ＲＡＭ７０内の原稿枚数カウンタから消去画像数を減算した後（ステップＳ７０７）、ステップＳ７０２に戻る。
【０１７３】
ステップＳ７０２でプリントキーが押下された場合には、原稿読み直しモードであるか否かを判別する（ステップＳ７０８）。このモードは原稿読み直しキー３１６が押下されたときに原稿読み直しモードに設定される。
【０１７４】
ステップＳ７０８で原稿読み直しモードでない場合には、コンタクトガラス６に搬送して読み取りユニット５０によって原稿の画像を読み取り、この読み取り原稿を記録紙に印刷する処理を行う（ステップＳ７１７）。
【０１７５】
次いで、この画像データを画像メモリ６６の１次メモリ１０６に格納した後、原稿枚数をＲＡＭ７０にカウントアップする（ステップＳ７１８）。次いで、設定部数の印刷が終了したか否かを判別し（ステップＳ７１９）、設定部数の印刷が終了した場合には今回の処理を終了する。
【０１７６】
一方、ステップＳ７０８で原稿読み直しモードであるものと判断された場合には、図１８に示す画面３２０を表示する（ステップＳ７０９）。次いで、無効キーが押下されたか否か、すなわち、「はい」キーが押下が押下されたか否かを判別し（ステップＳ７１０）、押下されていない場合、すなわち、「いいえ」キーが押下された場合には、読み直し原稿を読み取り処理を行ってこの画像データを画像メモリ６６の１次メモリ１０６に格納した後（ステップＳ７２０）、この読み直し原稿のみを印刷して出力する（ステップＳ７２１）。
【０１７７】
次いで、原稿枚数をＲＡＭ７０にカウントアップした後（ステップＳ７２２）、設定部数の印刷が終了したか否かを判別し（ステップＳ７２３）、設定部数の印刷が終了した場合には今回の処理を終了する。
【０１７８】
一方、ステップＳ７１０で無効キーが押下された場合、すなわち、「はい」キーが押下された場合には、画面３１９で設定された原稿の読み直し位置、部数から取り除く記録紙枚数を算出する。
【０１７９】
例えば、原稿１０枚のうち、２枚の原稿を記録紙１枚に片面集約する場合において、原稿の読み直し位置が５ページ目で部数が４枚とすると、原稿２枚で記録紙１枚となるため取り除く記録紙は３枚と算出される。この場合には、図１９に示すように「記録紙を３枚、排紙トレイから取り除いて下さい」というメッセージの画面３２１を表示する（ステップＳ７１２）。
【０１８０】
ユーザが画面３２１の「ＯＫ」キーを押下すると、読み直し原稿を読み取り処理を行ってこの画像データを画像メモリ６６の１次メモリ１０６に格納した後（ステップＳ７１３）、この読み直し原稿とこの読み直し原稿移行の原稿の画像データを記録紙に印刷して出力する（ステップＳ７１４）。
【０１８１】
原稿枚数をＲＡＭ７０にカウントアップした後（ステップＳ７１５）、設定部数の印刷が終了したか否かを判別し（ステップＳ７１６）、設定部数の印刷が終了した場合には今回の処理を終了する。
【０１８２】
このように本実施形態では、原稿読み直しキー３１６を押下したときに、画像メモリ６６に蓄積された最後または最初の画像データからｎ番目の画像データを消去するようにしたため、指定されたページの画像データの読み直しを簡単に行うことができる。
【０１８３】
また、本実施形態では、「いいえ」キーを押下したときに画像メモリ６６に蓄積された読み直し原稿のみを印刷して出力する要にしたため、読み直しされた原稿の印刷画像のみを確認することができ、記録紙が無駄になるのを防止することができる。
【０１８４】
すなわち、例えば、１０ページの片面原稿を１枚の記録紙の両面に試し印刷を行う際に４ページ目の原稿の読み直しを行う場合には、記録紙が２枚印刷出力されることになる。ここで、原稿の読み直しを行って読み直し原稿とそれ以降の原稿の試し印刷を行うと、合計で４枚の原稿の印刷出力を行う必要があり、記録紙が無駄になる。
【０１８５】
本実施形態では、「いいえ」キーを押下したときには、画像メモリ６６に蓄積された読み直し原稿のみを印刷して出力することにより、記録紙が無駄になるのを防止することができる。
【０１８６】
また、「はい」キーを押下したときには、画像メモリ６６に蓄積された読み直し原稿および読み直し原稿以降の原稿を印刷して出力するようにしたため、先に正常に出力された記録紙に後続する記録紙のページ順を自動的に揃えて出力することができる。
【０１８７】
また、「いいえ」キーを押下したときに取り除く記録紙枚数を表示するようにしたため、取り除く原稿枚数を直接知ることができ、記録紙の除去作業を簡単に行うことができる。
【０１８８】
【発明の効果】
本発明によれば、ソートモードが設定されたときに、原稿を１枚ずつ読み取って１枚の記録紙に印刷し、印刷画像（すなわち、読み取り画像）に不備（オペレータが設定した画像濃度、倍率等の印刷条件が間違っていたり、ページ順、画像の方向や裏表等の原稿セットミス等）があれば、読み直し手段を操作して原稿の読み直しを行ない、蓄積手段に最後に蓄積された画像データから遡って画像データをページ単位で消去することができる。このため、ソートモードの終了前に、正常に読み取られた画像に対して原稿の再読み取りを行なうのを不要にして、読み取り作業の作業性を向上させることができる。
【０１８９】
また、本発明によれば、読み直し指示手段を操作すると、読み取り開始指示手段が最後に操作されたときに蓄積手段に蓄積された画像データをページ単位で消去するようにしたので、読み直し指示手段を操作したときに、蓄積手段に最後に蓄積された画像データを自動的に消去することができる。
【０１９０】
また、本発明によれば、蓄積手段に蓄積された画像データの消去ページ数を指示する消去数入力手段を設け、消去数入力手段によって入力されたページ数の画像データを蓄積手段から消去するようにしたので、任意の範囲の画像データを蓄積手段から消去することができる。このため、複数枚の原稿の読み取りを行なった場合でも、不備があった原稿まで遡って画像データを消去することができる。
【０１９１】
また、本発明によれば、読み取り手段によって読み取られる原稿の枚数を表示する原稿枚数表示手段を設け、読み直し指示手段によって原稿の読み直しが指示されたときに、原稿枚数表示手段に表示される原稿枚数を読み直しが指示された時点の原稿枚数に補正するようにしたので、読み取った原稿枚数を示す表示を読み取り前の状態に戻すことができ、原稿の読み取りをどのページまでやり直すことになるのかを確実に確認することができる。
【０１９２】
また、本発明によれば、読み取り手段によって原稿が読み込まれないときには、読み直し指示手段の操作を無効にする無効手段を設けたので、原稿の読み取りを行えない場合は原稿の読み直し操作を行なうことができないようにすることができ、誤った操作が行なわれるのを防止して、操作性を向上させることができる。
【０１９３】
また、本発明によれば、読み直し指示手段が操作されたときに、印刷モード設定手段により設定された印刷モードで印刷された記録紙を単位として消去画像数を算出し、蓄積手段に最後に蓄積された画像データから遡って画像データをページ単位で消去する消去手段とを設けたため、ソートモードの終了前に、正常に読み取られた画像に対して原稿の再読み取りを行なうのを不要にして、読み取り作業の作業性を向上させることができる。
【０１９４】
また、本発明によれば、読み直し指示手段が操作されたとき、読み取り開始指示手段が最後に操作されたときに蓄積手段に蓄積された画像データを消去するようにしたため、印刷された原稿を確認して印刷画像に不備があれば、読み直し指示手段を操作すると、読み取り開始指示手段が最後に操作されたときに蓄積手段に蓄積された画像データを記録紙単位で消去するので、読み直し指示手段を操作したときに、例えば、片面印刷モードであれば蓄積手段に最後に蓄積された１ページの画像データを自動的に消去することができ、また、両面印刷モードであれば蓄積手段に最後に蓄積された２ページの画像データを自動的に消去することができる。
【０１９５】
また、本発明によれば、記録紙枚数を入力する記録紙枚数入力手段を設け、記録紙枚数入力手段によって入力された記録紙枚数分の画像データを蓄積手段から消去するようにしたため、任意の範囲の画像データを蓄積手段から消去することができるため、複数枚の原稿の読み取りを行なった場合でも、不備があった原稿まで遡って画像データを消去することができる。
【０１９６】
また、本発明によれば、読み取り手段によって読み取られた原稿の枚数を表示する読み取り原稿枚数表示手段を設け、読み直し指示手段によって原稿の読み直しが指示されたときに、原稿枚数表示手段に表示される原稿枚数を読み直しが指示された時点の原稿枚数に補正するようにしたため、読み取った原稿枚数を示す表示を読み取り前の状態に戻すことができるので、原稿の読み取りをどのページまでやり直すことになるのかを確実に確認することができる。
【０１９７】
また、本発明によれば、読み直す原稿枚数を表示する読み直し原稿枚数を表示する読み直し原稿枚数表示手段を設け、読み直し指示手段によって原稿の読み直しが指示されたときに、読み直す原稿枚数を表示するようにしたため、読み直す原稿枚数を直接知ることができるので、原稿の読み取りをより確実に行うことができる。
【０１９８】
また、本発明によれば、取り除く記録紙枚数を表示する取り除き記録紙枚数表示手段を設け、読み直し指示手段によって原稿の読み直しが指示されたときに、取り除く原稿枚数を表示するようにしたので、取り除く記録紙枚数を直接知ることができ、記録紙の除去作業を簡単に行うことができる。
【０１９９】
また、本発明によれば、蓄積手段に蓄積された最後または最初の画像データからｎ番目の消去ページを指示する消去数入力手段を設け、消去数入力手段によって入力されたｎ番目の画像データを蓄積手段から消去するようにしたので、指定されたページの画像データの読み直しを簡単に行うことができる。
【０２００】
また、本発明によれば、蓄積手段に蓄積された原稿を印刷手段によって出力するときに、記録紙の出力開始位置を設定する第１設定手段および第２設定手段を有し、第１設定手段に設定したときには、蓄積手段に蓄積された読み直し原稿のみを印刷して出力し、第２設定手段に設定したときには、蓄積手段に蓄積された読み直し原稿および読み直し原稿以降の原稿を印刷して出力するようにしたので、第１設定手段に設定したときには、蓄積手段に蓄積された読み直し原稿のみを印刷して出力することにより、読み直しされた原稿の印刷画像のみを確認することができ、記録紙が無駄になるのを防止することができる。また、第２設定手段に設定したときには、蓄積手段に蓄積された読み直し原稿および読み直し原稿以降の原稿を印刷して出力することにより、先に正常に出力された記録紙に後続する記録紙のページ順を自動的に揃えて出力することができる。
【図面の簡単な説明】
【図１】本発明に係る画像形成装置の第１実施形態を示す図であり、画像形成装置の概略構成図である。
【図２】第１実施形態の操作部を示す図である。
【図３】第１実施形態の液晶タッチパネルの一般的な表示例を示す図である。
【図４】第１実施形態の液晶タッチパネルに原稿読み直しキーが表示された状態を示す図である。
【図５】第１実施形態の画像処理部の構成を示す図である。
【図６】第１実施形態のセレクタにおける１ページ分の画像信号を示す図である。
【図７】第１実施形態の画像メモリコントローラと画像メモリの構成図である。
【図８】第１実施形態の試しコピー処理の手順を示すフローチャートである。
【図９】本発明に係る画像形成装置の第２実施形態を示す図であり、その液晶タッチパネルの表示例を示す図である。
【図１０】第２実施形態の試しコピー処理の手順を示すフローチャートである。
【図１１】本発明に係る画像形成装置の第３実施形態を示す図であり、その試しコピー処理の手順を示すフローチャートである。
【図１２】第３実施形態の画像消去数計算処理のフローチャートを示す図である。
【図１３】第３実施形態の原稿戻し枚数計算処理のフローチャートである。
【図１４】本発明に係る画像形成装置の第４実施形態を示す図であり、その試しコピー処理の手順を示すフローチャートである。
【図１５】（ａ）は第４実施形態の印刷取消枚数の表示画面の表示例を示す図、（ｂ）は原稿戻し枚数の表示画面の表示例を示す図である。
【図１６】本発明に係る画像形成装置の第５実施形態を示す図であり、その試しコピー処理の手順を示すフローチャートである。
【図１７】第５実施形態の画像データの消去画面の表示例を示す図である。
【図１８】第５実施形態の出力記録紙の無効処理を行う表示画面の表示例を示す図である。
【図１９】第５実施形態の記録紙の除去枚数の表示画面の表示例を示す図である。
【符号の説明】
１１　　第１給紙装置（ソート手段、試し印刷手段）
１２　　第２給紙装置（ソート手段、試し印刷手段）
１３　　第３給紙装置（ソート手段、試し印刷手段）
１４　　縦搬送ユニット（ソート手段、試し印刷手段）
１５　　感光体ドラム（印刷手段
１６　　搬送ベルト（印刷手段）
１７　　定着ユニット（印刷手段）
２７　　現像ユニット（印刷手段）
３１　　液晶表示パネル（消去数入力手段、記録紙枚数入力手段、第１設定手段、第２設定手段、取り除き記録紙枚数表示手段）
３２　　テンキー（消去数入力手段、記録紙枚数入力手段）
３４　　プリントキー（読み取り開始指示手段、試し印刷手段）
５０　　読み取りユニット（読み取り手段）
６０　　書き込みユニット（印刷手段）
６６　　画像メモリ（蓄積手段）
６８　　ＣＰＵ（ソート手段、試し印刷手段、消去手段、無効手段）
３０１　　メッセージエリア（読み直し原稿枚数表示手段）
３０２ａ　　原稿枚数表示部（原稿枚数表示手段）
３０５　　ソートキー（ソート手段、ソートモード設定手段）
３１０　　両面キー（印刷モード設定手段）
３１１　　集約キー（印刷モード設定手段）
３１６　　原稿読み直しキー（読み直し指示手段）
【図１】
2004101817.tif 000003
【図２】
2004101817.tif 000004
【図３】
2004101817.tif 000005
【図４】
2004101817.tif 000006
【図５】
2004101817.tif 000007
【図６】
2004101817.tif 000008
【図７】
2004101817.tif 000009
【図８】
2004101817.tif 000010
【図９】
2004101817.tif 000011
【図１０】
2004101817.tif 000012
【図１１】
2004101817.tif 000013
【図１２】
2004101817.tif 000014
【図１３】
2004101817.tif 000015
【図１４】
2004101817.tif 000016
【図１５】
2004101817.tif 000017
【図１６】
2004101817.tif 000018
【図１７】
2004101817.tif 000019
【図１８】
2004101817.tif 000020
【図１９】
2004101817.tif 000021